(57)【要約】  従来の各種のメディア通信を行うサービスにおいては、通信事業者が提供するサーバで扱う事ができるユーザ数、グループリスト数などには制限があった。  サービスシステムは、各通信事業者ネットワーク１〜３に加えて、サーバ事業者ネットワーク４を有しており、各通信事業者ネットワーク１〜３及びサーバ事業者ネットワーク４は、インターネット１を介してＰｏＣドメインサーバ２と通信することができるように構成されている。さらに、ＰｏＣサーバ３Ｄ−１と、ＧＬサーバ３Ｄ−２とを有するサーバ事業者ネットワーク（４）３Ｄが追加されている。端末装置６からＰｏＣなどのサービスを利用する際に、サーバ３Ａ−１での処理能力を超えたユーザが同時に通信を行おうとした場合に、他のサーバ３Ｂ−１等を自動的に検索することにより、ユーザはサービスを受けられる。
2007052594.tif 000002
【特許請求の範囲】
【請求項１】
複数の通信事業者ネットワークシステムであって、それぞれが該通信事業者ネットワークシステムに属する端末装置に関するグループリストを提供するグループリストサーバ（ＧＬサーバ）と、前記グループリストの登録と端末装置の空きの有無とに関する情報のやり取りを行うＰｏＣサーバとを有する複数の通信事業者ネットワークシステムがそれぞれネットワークにより接続されている通信システムであって、
さらに、前記ネットワークと接続され、グループリスト情報の登録、問い合わせを含む通信を前記複数の通信事業者ネットワークシステムに属するＧＬサーバを跨って行うＰｏＣドメインサーバを有することを特徴とする通信システム。
【請求項２】
予め、各通信事業者内の前記グループリストサーバは、前記ネットワーク上に配置された前記ＰｏＣドメインサーバに対してグループリストサーバとしての登録を行っておくことを特徴とする請求項１に記載の通信システム。
【請求項３】
前記ＧＬサーバ及び前記ＰｏＣサーバと、他のＰｏＣサーバとの間において、品質調整要求、品質調整用データを含む品質関連調整データをやり取りし、前記品質関連調整データを利用して前記端末装置間のネゴシエーションを行うことを特徴とする請求項１又は２に記載の通信システム。
【請求項４】
複数の通信事業者ネットワークシステムであって、それぞれが該通信事業者ネットワークシステムに属する端末装置に関するグループリストを提供するグループリストサーバ（ＧＬサーバ）と、前記グループリストの登録と端末装置の空きの有無とに関する情報のやり取りを行うＰｏＣサーバとを有する複数の通信事業者ネットワークシステムがそれぞれネットワークにより接続されている通信システムであって、
さらに、前記ネットワークと接続され、グループリスト情報の登録、問い合わせを含む通信を前記複数の通信事業者ネットワークシステムに属するＧＬサーバを跨って行うＰｏＣドメインサーバを有し、
さらに、前記通信事業者ネットワークシステムとネットワークを介して接続されるサーバ事業者ネットワークであって、グループリストサーバ及びＰｏＣサーバを備えたサーバ事業者ネットワークを有することを特徴とする通信システム。
【請求項５】
前記サーバ事業者ネットワークは、前記ネットワークと前記前記通信事業者ネットワークシステムを介して前記端末装置と通信可能な構成を有していることを特徴とする請求項４に記載の通信システム。
【請求項６】
予め、サーバ事業者内の前記グループリストサーバは、前記ネットワーク上に配置された前記ＰｏＣドメインサーバに対してグループリストサーバとしての登録を行っておくことを特徴とする請求項４又は５に記載の通信システム。
【請求項７】
前記ＧＬサーバ及び前記ＰｏＣサーバと、他のＰｏＣサーバとの間において、品質調整要求、品質調整用データを含む品質関連調整データをやり取りし、前記品質関連調整データを利用して前記端末装置間のネゴシエーションを行うことを特徴とする請求項４から６までのいずれか１項に記載の通信システム。
【請求項８】
複数の通信事業者ネットワークシステムであって、それぞれが該通信事業者ネットワークシステムに属する端末装置に関するグループリストを提供するＧＬサーバと、前記グループリストの登録と端末装置の空きの有無とに関する情報のやり取りを行うＰｏＣサーバとを有する複数の通信事業者ネットワークシステムがそれぞれネットワークにより接続されている通信システムに用いられ、
前記ネットワークと接続され、グループリスト情報の登録、問い合わせを含む通信を前記複数の通信事業者ネットワークシステムに属するＧＬサーバを跨って行うＰｏＣドメインサーバ。
【請求項９】
複数の通信事業者ネットワークシステムであって、それぞれが該通信事業者ネットワークシステムに属する端末装置に関するグループリストを提供するＧＬサーバと、前記グループリストの登録と端末装置の空きの有無とに関する情報のやり取りを行うＰｏＣサーバとを有する複数の通信事業者ネットワークシステムがそれぞれネットワークにより接続されている通信システムにおける通信方法であって、
各通信事業者ネットワークシステム内のＧＬサーバが、前記ネットワーク上に配置されたＰｏＣドメインサーバに対してＧＬサーバとしての登録を行っておくステップと、
前記端末装置の前記ＧＬサーバへのグループリストの取得要求に対して、他のＰｏＣサーバに空きの問い合わせを行い、応答を取得し、この他のＰｏＣサーバには接続できない場合に、前記ＰｏＣドメインサーバに対してドメイン取得要求を行い、ＰｏＣドメインサーバは、前記登録に基づいて選択されたＧＬサーバのドメイン情報を受け取るステップと
を有することを特徴とする通信方法。
【請求項１０】
予め、各通信事業者内の前記グループリストサーバは、前記ネットワーク上に配置された前記ＰｏＣドメインサーバに対してグループリストサーバとしての登録を行っておくことを特徴とする請求項９に記載の通信方法。
【請求項１１】
前記取得したドメイン情報に基づく他のＧＬサーバへの空きの問い合わせに応じて該他のＧＬサーバから該ＧＬサーバが属する通信事業者ネットワークシステムのＰｏＣサーバに問い合わせが中継され空きが有る旨の応答が返却された場合に、前記他のＧＬサーバから、問い合わせを行った前記ＰｏＣサーバのドメイン名及びグループリストに登録されている既存のユーザ情報に基づいて生成された接続先情報を元に前記端末装置に対してグループリストを返却するステップを有することを特徴とする請求項９に記載の通信方法。
【発明の詳細な説明】
【技術分野】
【０００１】
本発明は、ネットワークを使用し、テキストデータ、音声データ、動画像データなどのメディア情報を、サーバを経由して通信する通信技術に関するものである。
【背景技術】
【０００２】
近年、インターネットの普及、及び、無線通信ネットワークの進展により、ＩＰネットワーク上で様々なメディアを通信するサービスが携帯電話などの通信事業者により提供され始めている。【０００３】
これらのサービスには、テキストデータを主体としたチャットサービス、音声データを主体としたＰｏＣサービスなどがあり、いずれの場合もサーバを介して接続先情報（グループリストなど）を一覧し、ユーザが接続先を選択し、通信を開始することによりユーザの利便性に配慮した方法を含むサービスを提供している。【０００４】
図４は、一般的なサービスシステム構成例を示す機能ブロック図である。図４に示すように、各端末装置１−（１）、１−（２）、…３−（２）（６Ａ（１）、６Ａ（２）、…６Ｃ（２））は、各通信事業者によって提供されている無線ネットワークを使用してネットワークに接続する端末である。無線ネットワークは、図４に示すように、通信事業者が提供するネットワーク３Ａ、３Ｂ、３Ｃのぞれぞれは、例えば、Ｗ−ＣＤＭＡ網、ＧＰＲＳ網、Ｗ−ＬＡＮ網など通信事業者によって様々である場合が多い。【０００５】
各通信事業者は、無線基地局装置（１〜３）５Ａ〜５Ｃ、及び、ネットワーク接続装置（１〜３）４Ａ〜４Ｃを介して、各通信事業が提供する通信事業者ネットワーク（１〜３）３Ａ〜３Ｃへのアクセスを許可する。【０００６】
各通信事業者ネットワーク（１〜３）３Ａ〜３Ｃ内にＰｏＣサーバ、ＧＬサーバが設置されており、各端末装置は、本ＰｏＣサーバ、ＧＬサーバへアクセスし、グループリストの取得、ＰｏＣサービスを開始するための接続処理を行うことにより、サービスを受ける。【０００７】
図５は、図４に示すシステムにおける接続先取得処理のシーケンス図である。図５に示すように、接続可能な場合のシーケンス例は、端末装置６からＧＬサーバ３Ａ−２に対して、グループリストの取得要求を行い、ＧＬサーバ３Ａ−２はＰｏＣサーバ３Ａ−１に対して空きの問い合わせを行う。場合には、ＰｏＣサーバ３Ａ−１はＧＬサーバ３Ａ−２に対して空きがあった旨を返答し、ＧＬサーバ３Ａ−２は端末装置６に対して接続先情報を送る。これに基づいて接続を行う。接続不可の場合には、空き無しの応答が帰ってくることになる。図５（Ｂ）は接続可能な場合のグループリスト例であり、最大ユーザー数５に対して現在接続中のユーザが３であるので、空きありとなる。図５（Ｃ）は接続不可能な場合のグループリスト例であり、最大ユーザー数３に対して現在接続中のユーザが３であるので、空き無しとなる。【０００８】
図６は、ＰｏＣ接続のシーケンス例を示す図である。以下、端末装置６が複数の場合、端末装置（１）６Ａ−１、（２）６Ａ−２等の表記をする。図６を参照しながら、上記構成における端末装置（１）６Ａ−１とＰｏＣサーバ３Ａ−１と端末装置（２）６Ａ−２との間におけるＰｏＣ接続シーケンス例について説明する。但し、端末装置及びＰｏＣサーバにおいて送受信されるメッセージについての説明は省略し、品質などに関するメッセージのみに注目して説明を行う。【０００９】
図６に示すように、端末装置（１）６Ａ−１から送出されたINVITE信号はＰｏＣサーバ３Ａ−１を経由して端末装置（２）６Ａ−２に至る。この際、音声データの長さを規定するPtimeなどのパラメータを含んでいるSDP（Session Description Protocol）情報が付与されている。その後、端末装置（２）６Ａ−２からＯＫ信号がＰｏＣサーバ３Ａ−１を介して端末装置（１）６Ａ−１に返却される。この際にも前述したSDP情報が含まれる。【００１０】
ここで、ＰｏＣサーバ３Ａ−１は、端末装置（１）６Ａ−１から送出されたSDP情報、及び端末装置（２）６Ａ−２から送出されたSDP情報のPtimeなど品質に関わる情報については、同一通信事業者ネットワーク内での最適値、及び、ＰｏＣサーバ３Ａ−１における音声データ変換能力に従って値を変更する。【００１１】
端末装置（１）６Ａ−１は、上記SDP情報に含まれるパラメータ値に従って、音声データ１を送出し、ＰｏＣサーバ３Ａ−１は、音声データの一部を変換し、端末装置（２）６Ａ−２に送出することで、一定の品質を保つことができる。尚、ここでは、端末装置（１）６Ａ−１→ＰｏＣサーバ３Ａ−１→端末装置（２）６Ａ−２の順に信号が送られる例について説明したが、例えば、端末装置（２）６Ａ−２→ＰｏＣサーバ３Ａ−１→端末装置（１）６Ａ−１の順番で送出される音声データについても同様に考えれば良い。
【非特許文献１】OMA Push to talk over Cellular (PoC) Archtecture Candidate Version 1.0(OMA-AD_PoC-V1_0-20051006-C)、URL：http://www.openmobilealliance.org/release_program/poc-v1_0.html
【発明の開示】
【発明が解決しようとする課題】
【００１２】
従来の各種のメディア通信を行うサービスにおいては、通信事業者が提供するサーバで扱うことができるユーザ数、グループリスト数などには制限があり、サーバでの処理能力を超えたユーザが同時に通信を行おうとした場合に、ユーザはサービスを受けることができなくなる。【００１３】
また、グループリストなどの情報の通信を異なる通信事業者間で行うためには、予め異なる通信事業者間でローミング契約を結び、グループリストサーバ、ＰｏＣサーバなどのアドレス情報を予め交換し、相互にサービスを運用できるような環境の構築を逐次行っていく必要がある。【００１４】
さらに、異なる通信事業者ネットワークに配置されたＰｏＣサーバを用いてＰｏＣサービスを提供する場合に、端末装置−ＰｏＣサーバ間のネットワーク的な距離が変わるため、データジッタなどが変わり、音声データの場合、音声途切れ、ノイズなどとの原因となり、サービス品質が低下すると言う問題もあった。【００１５】
本発明は、各通信事業者による相違に起因する問題点を解消することを目的とする。
【課題を解決するための手段】
【００１６】
本発明の一観点によれば、複数の通信事業者ネットワークシステムであって、それぞれが該通信事業者ネットワークシステムに属する端末装置に関するグループリストを提供するグループリストサーバ（ＧＬサーバ）と、前記グループリストの登録と端末装置の空きの有無とに関する情報のやり取りを行うＰｏＣサーバとを有する複数の通信事業者ネットワークシステムがそれぞれネットワークにより接続されている通信システムであって、さらに、前記ネットワークと接続され、グループリスト情報の登録、問い合わせを含む通信を前記複数の通信事業者ネットワークシステムに属するＧＬサーバを跨って行うＰｏＣドメインサーバを有することを特徴とする通信システムが提供される。【００１７】
これにより、端末装置からＰｏＣなどのサービスを利用する際にサーバでの処理能力を超えたユーザが同時に通信を行おうとした場合に、他のサーバを自動的に検索することにより、ユーザがサービスを受けられるようにすることができる。【００１８】
また、複数の通信事業者ネットワークシステムであって、それぞれが該通信事業者ネットワークシステムに属する端末装置に関するグループリストを提供するＧＬサーバと、前記グループリストの登録と端末装置の空きの有無とに関する情報のやり取りを行うＰｏＣサーバとを有する複数の通信事業者ネットワークシステムがそれぞれネットワークにより接続されている通信システムに用いられ、前記ネットワークと接続され、グループリスト情報の登録、問い合わせを含む通信を前記複数の通信事業者ネットワークシステムに属するＧＬサーバを跨って行うＰｏＣドメインサーバが提供される。【００１９】
本発明の他の観点によれば、複数の通信事業者ネットワークシステムであって、それぞれが該通信事業者ネットワークシステムに属する端末装置に関するグループリストを提供するＧＬサーバと、前記グループリストの登録と端末装置の空きの有無とに関する情報のやり取りを行うＰｏＣサーバとを有する複数の通信事業者ネットワークシステムがそれぞれネットワークにより接続されている通信システムにおける通信方法であって、各通信事業者ネットワークシステム内のＧＬサーバが、前記ネットワーク上に配置されたＰｏＣドメインサーバに対してＧＬサーバとしての登録を行っておくステップと、前記端末装置の前記ＧＬサーバへのグループリストの取得要求に対して、他のＰｏＣサーバに空きの問い合わせを行い、応答を取得し、この他のＰｏＣサーバには接続できない場合に、前記ＰｏＣドメインサーバに対してドメイン取得要求を行い、ＰｏＣドメインサーバは、前記登録に基づいて選択されたＧＬサーバのドメイン情報を受け取るステップと、を有することを特徴とする通信方法が提供される。【００２０】
前記取得したドメイン情報に基づく他のＧＬサーバへの空きの問い合わせに応じて該他のＧＬサーバから該ＧＬサーバが属する通信事業者ネットワークシステムのＰｏＣサーバに問い合わせが中継され空きが有る旨の応答が返却された場合に、前記他のＧＬサーバから、問い合わせを行った前記ＰｏＣサーバのドメイン名及びグループリストに登録されている既存のユーザ情報に基づいて生成された接続先情報を元に前記端末装置に対してグループリストを返却するステップを有することが好ましい。
【発明の効果】
【００２１】
本発明によれば、端末装置からＰｏＣなどのサービスを利用する際にサーバでの処理能力を超えたユーザが同時に通信を行おうとした場合に、他のサーバを自動的に検索することで、ユーザがサービスを受けやすくなる。【００２２】
また、異なる通信事業者間で行うためのグループリストサーバ、ＰｏＣサーバなどのアドレス情報をあらかじめＰｏＣドメインサーバを介して交換することができローミング契約などの手続きを経ることなく異なる通信事業者、サーバ事業者でサービスを受けることが可能となる。【００２３】
さらに、あらかじめＰｏＣサーバ間でジッタ量などの情報を調整することで、異なる通信事業者、サーバ事業者のＰｏＣサーバを利用した場合の品質低下を最小限とすることができる。
【図面の簡単な説明】
【００２４】
【図１】本発明の一実施の形態による通信システムの一構成例を示す図である。
【図２】本実施の形態による接続先取得のシーケンス例を示す図である。
【図３】本実施の形態によるＰｏＣ接続のシーケンス例を示す図である。
【図４】一般的なシステム構成例を示す図である。
【図５】一般的な接続先取得のシーケンス例を示す図である。
【図６】一般的なＰｏＣ接続シーケンス例を示す図である。
【符号の説明】
【００２５】
１…インターネット
２…ＰｏＣドメインサーバ
３Ａ／３Ｂ／３Ｃ／３Ｄ…通信事業者ネットワーク１〜３、サーバ事業者ネットワーク４（ＰｏＣサーバ、ＧＬサーバを含む）
４Ａ／４Ｂ／４Ｃ…ネットワーク接続装置１〜３
５Ａ／５Ｂ／５Ｃ…無線基地局装置１〜３
６Ａ（１）／６Ａ（２）…端末装置１−（１）、１−（２）
６Ｂ（１）／６Ｂ（２）…端末装置２−（１）、２−（２）
６Ｃ（１）／６Ｃ（２）…端末装置３−（１）、３−（２）
【発明を実施するための最良の形態】
【００２６】
以下、本発明の一実施の形態によるサービスシステムについて図面を参照しながら説明を行う。本発明の一実施の形態によるサービスシステムの一構成例を図１に示す。尚、図４と同様な構成要素については、同じ符号を付与している。図１に示すように、本実施の形態によるサービスシステムは、各通信事業者ネットワーク１〜３に加えて、サーバ事業者ネットワーク４を有しており、各通信事業者ネットワーク１〜３及びサーバ事業者ネットワーク４は、インターネット１を介してＰｏＣドメインサーバ２と通信することができるように構成されている点で図４に示す構成と異なる。また、各通信事業者ネットワーク１〜３は、ネットワーク接続装置１〜３及び無線基地局５Ａ〜５Ｃを介して端末６Ａ〜６Ｃと接続されるのに対して、サーバ事業者ネットワーク４は、インターネット１を介して、各通信事業者ネットワーク１〜３と接続され、この各通信事業者ネットワーク１〜３を介して端末６Ａ〜６Ｃと接続される。さらに、ＰｏＣサーバ３Ｄ−１と、ＧＬサーバ３Ｄ−２とを有するサーバ事業者ネットワーク（４）３Ｄが追加されている。【００２７】
図２は、本実施の形態によるサービスシステムにおける接続先取得シーケンス例を示す図である。まず、予め、各通信事業者内のＧＬサーバ（１、２）３Ａ−２、３Ｂ−２は、インターネット１上に配置されたＰｏＣドメインサーバ２に対してGroupListサーバとしての登録（１１）を行っておく。図２では、ＧＬサーバ（１）３Ａ−２がまず始めに登録を行い、次いで、ＧＬサーバ（２）３Ｂ−２が登録を行う（１２）。【００２８】
その後、端末装置６Ａは、ＧＬサーバ（１）３Ａ−２にGroupList取得要求を送出する（１３）。これに対して、ＧＬサーバ（１）３Ａ−２は、まず、ＰｏＣサーバ（１）３Ａ−１に空きの問い合わせを行い（１４）、ＰｏＣサーバ（１）１３Ａ−１は、空き無しの応答を返す（１５）。【００２９】
その後、ＰｏＣサーバ（１）１３Ａ−１には接続できないことを知ったＧＬサーバ（１）３Ａ−２は、ＰｏＣドメインサーバ２に対して、ドメイン取得要求を送出する（１６）。ＰｏＣドメインサーバ２は、あらかじめ登録されたＧＬサーバを選択し、ドメイン情報（ここでは、ＧＬサーバ（２）３Ｂ−２にアクセスするためのドメイン情報）を返却する（１７）。【００３０】
ＧＬサーバ（１）３Ａ−２は、取得したドメイン情報から、例えば、ＧＬサーバ（２）３Ｂ−２に空きの問い合わせを行い（１８）、ＧＬサーバ（２）３Ｂ−２からＰｏＣサーバ（２）３Ｂ−１に問い合わせが中継される（１９）。【００３１】
ＰｏＣサーバ（２）３Ｂ−１に空きが有る場合には、ＰｏＣサーバ（２）３Ｂ−１からＧＬサーバ（２）３Ｂ−２に空きが有る旨の応答が返却され（２０）、ＧＬサーバ（１）３Ａ−２へ中継される（２１）。【００３２】
ＧＬサーバ（２）３Ｂ−２は、問い合わせを行ったＰｏＣサーバのドメイン名、及び、グループリストに登録されている既存ユーザ情報に基づいて、接続先情報を生成し、端末装置６ＡにGroupList情報を返却する（２２）。【００３３】
これにより、接続のＩＮＶＩＴＥをＰｏＣサーバ（１）３Ａ−１に対して行い（２３）、さらに、接続のＩＮＶＩＴＥをＰｏＣサーバ（２）３Ｂ−１に対して行う（２４）。  尚、上記においては、ＰｏＣドメインサーバ２に登録されているＧＬサーバ、ＰｏＣサーバが２つの例を示しているが、２つ以上でも良く、また、インターネット上にＰｏＣドメインサーバに配置することから、ＧＬサーバ、ＰｏＣサーバのみを提供するようなサーバ事業者についても同様の手順によって通信することが可能であり、同様に、端末装置に関するグループリストを提供するグループリストサーバ（ＧＬサーバ）３Ｄ−１と、前記グループリストの登録と端末装置の空きの有無とに関する情報のやり取りを行うＰｏＣサーバ３Ｄ−２とを機能させることができる。【００３４】
本実施の形態によるＰｏＣ接続シーケンス例について図３を参照しながら説明を行う。【００３５】
まず、（１）の品質調整シーケンスについて説明する。グループリストの取得が終了したＧＬサーバ（１）３Ａ−２は、予め、ＰｏＣサーバ（１）３Ａ−１に対して調整要求３１を送出し、ＰｏＣサーバ（２）３Ｂ−１に中継される。ＰｏＣサーバ（２）３Ｂ−１は、ＰｏＣサーバ（１）３Ａ−１との間で調整用データを送受信することで（３２、３３）、ＰｏＣサーバ（１）３Ａ−１−ＰｏＣサーバ（２）３Ｂ−１間の特性（音声データサイズとジッタなどの特性）を測定し、調整値を保管しておく（３４）。【００３６】
ＰｏＣサーバ（２）３Ｂ−１は、端末装置（１）６Ａ（１）から送出されたSDP情報、及び、端末装置（２）６Ｂ（１）から送出されたSDP情報のPtimeなど品質に関わる情報について、通信事業者ネットワーク内での最適値、ＰｏＣサーバにおける音声データ変換能力、本調整値に従って値を変更する。【００３７】
例えば、ＰｏＣサーバ（１）３Ａ−１が属している通信事業者ネットワーク内でのPtimeの最適値が２００ｍｓであり、ジッタ量が１００ｍｓであり、ＰｏＣサーバ（２）３Ｂ−１が属している通信事業者ネットワーク内でのPtimeの最適値が１６０ｍｓでありジッタ量が８０ｍｓであり、ＰｏＣサーバ（１）３Ａ−１−ＰｏＣサーバ（２）３Ｂ−１間の調整値として、ジッタ量が１２０ｍｓであったと仮定する。【００３８】
Ptimeについては、常に最大の値となるように変更され、ジッタ量については、受信した値に対して、加算するように値を変更する。【００３９】
・端末装置（１）６Ａ（１）→ＰｏＣサーバ（１）３Ａ−１のSDP
Ptime＝１００ｍｓ、ジッタ量＝５０ｍｓ
・ＰｏＣサーバ（１）３Ａ−１→ＰｏＣサーバ（２）３Ｂ−１のSDP
Ptime＝２００ｍｓ、ジッタ量＝５０ｍｓ＋１００ｍｓ（※1）＝１５０ｍｓ
※１：ＰｏＣサーバ（１）３Ａ−１が属している通信事業者でのジッタ値
・ＰｏＣサーバ（２）３Ｂ−１→端末装置（２）６Ｂ（１）のSDP
Ptime＝２００ｍｓ、ジッタ量＝１５０ｍｓ＋１２０ｍｓ（調整値）＋８０ｍｓ（※2）＝３５０ｍｓ
※２：ＰｏＣサーバ（２）３Ｂ−１が属している通信事業者でのジッタ値
Ptimeの値、ジッタ量の値の変更方法については、ＰｏＣサーバ（２）３Ｂ−１における調整値の参照方法、算出方法を変更することにより対応が可能である。【００４０】
以上に説明したように、本実施の形態によれば、端末装置からＰｏＣなどのサービスを利用する際にサーバでの処理能力を超えたユーザが同時に通信を行おうとした場合に、他のサーバを自動的に検索することにより、ユーザがサービスを受けられるようにすることができる。【００４１】
また、異なる通信事業者間で行うためのグループリストサーバ、ＰｏＣサーバなどのアドレス情報を予めＰｏＣドメインサーバを介して交換することができ、ローミング契約などの手続きを経ることなく、異なる通信事業者、サーバ事業者でサービスを受けることが可能となる。【００４２】
さらに、予めＰｏＣサーバ間でジッタ量などの情報を調整することにより、異なる通信事業者、サーバ事業者のＰｏＣサーバを利用した場合の品質低下を最小限とすることができる。【００４３】
尚、上記実施の形態では、ＰｏＣサービスを例にして説明したが、本発明は、ＰｏＣサービスだけに限定されるものではなく、チャット、動画像などの通信サービスにおいても広く利用することが出来る。
【産業上の利用可能性】
【００４４】
本発明は、ネットワークを使用し、テキストデータ、音声データ、動画像データなどのメディア情報を、サーバを経由して通信する通信技術に利用可能である。
【図１】
2007052594.tif 000003
【図２】
2007052594.tif 000004
【図３】
2007052594.tif 000005
【図４】
2007052594.tif 000006
【図５】
2007052594.tif 000007
【図６】
2007052594.tif 000008
【国際調査報告】
2007052594.tif 000009
2007052594.tif 000010
2007052594.tif 000011